(57)【特許請求の範囲】
【請求項１】
互いに平行に延在する二本一対の弦材と、これら弦材間においてこれらと直交する方向に延在する連結材と、前記弦材間に斜めに延在するよう設けられたラチス材とから構成されるユニットトラスであって、前記二本一対の弦材の一端側に定められた間隔で複数のジョイント穴が形成されるとともに、他端側には前記一端側とは異なる間隔で複数のジョイント穴が形成されていることを特徴とするユニットトラス。
【請求項２】
請求項１記載のユニットトラスにおいて、前記各弦材には、対向する他方の弦材に向けて延出する接続ピンが形成されていることを特徴とするユニットトラス。
【請求項３】
互いに平行に延在する二本一対の弦材と、これら弦材間においてこれらと直交する方向に延在する連結材と、前記弦材間に斜めに延在するよう設けられたラチス材とから構成されるユニットトラスのジョイント構造であって、接続すべき前記各ユニットトラスには、前記二本一対の弦材それぞれの一端側に定められた間隔で複数のジョイント穴が形成されるとともに、他端側に前記一端側とは異なる間隔で複数のジョイント穴が形成された構成とされ、
複数の前記ユニットトラスどうしを接続するためのジョイント部材が、断面視略Ｕ字状で、かつ一方のユニットトラスの弦材の一端側と、他方のユニットトラスの弦材の他端側とを突き合わせたときに前記一端側の前記ジョイント穴と前記他端側のジョイント穴とに対応する位置にピン穴が形成された構成とされ、
互いに接続すべき双方の前記ユニットトラスの前記弦材どうしが突き合わされて、前記ジョイント部材が、一方の前記弦材の前記ジョイント穴と、他方の前記弦材の前記ジョイント穴とに前記ピン穴を対応させて配置され、前記各ピン穴にジョイントピンが挿入されることによって、前記ユニットトラスどうしが接続されていることを特徴とするユニットトラスのジョイント構造。
【請求項４】
請求項３記載のユニットトラスのジョイント構造において、前記ユニットトラスどうしを定められた角度で突き合わせて接続するためのクロスジョイントが、前記定められた角度をなした方向にそれぞれ延在する断面視略Ｕ字状の連結部を有してなり、該連結部には、接続すべき前記各ユニットトラスの一端側または他端側に形成された前記ジョイント穴に対応する位置にピン穴が形成された構成とされ、
接続すべき前記ユニットトラスの前記弦材どうしが前記定められた角度で突き合わされて、前記クロスジョイントが、前記各弦材の前記ジョイント穴に前記ピン穴を対応させて配置され、前記各ピン穴にジョイントピンが挿入されることによって、前記ユニットトラスどうしが前記定められた角度で接続されていることを特徴とするユニットトラスのジョイント構造。
【請求項５】
請求項３または４記載のユニットトラスのジョイント構造において、前記ユニットトラスの前記各弦材には、対向する他方の弦材に向けて延出する接続ピンが形成されてなり、
それぞれ複数のユニットトラスが接続されることによって構成された二組の平面トラスが互いに平行に配置され、一方の側の前記平面トラスを構成するユニットトラスの前記接続ピンと、他方の側の前記平面トラスを構成する前記ユニットトラスの前記接続ピンとの間に、その両端部に接続穴が形成されている接続材が、前記各ユニットトラスの位置する面と直交する方向に延在するよう取り付けられていることを特徴とするユニットトラスのジョイント構造。
【発明の詳細な説明】
【０００１】
【発明の属する技術分野】
本発明は、例えば平面形状あるいは立体形状のトラス架構を構成するときに用いて好適なユニットトラスおよびそのジョイント構造に関するものである。
【０００２】
【従来の技術】
周知のように、トラス架構は、互いに平行な弦材間にラチス材等が架設されることによって構成されている。
従来、例えば平面形状あるいは立体形状等、各種形状のトラス架構を構成するときには、その組立を容易に行うために、所定寸法のユニットトラスを用いていた。
【０００３】
例えば、図１２に示すように、トラス架構１は、複数のユニットトラス２が連続して接続されることによって構成されている。
各ユニットトラス２は、互いに平行に延在する二本一対の弦材３、３と、これら弦材３の両端部および中間部において弦材３と直交する方向に延在する連結材４、４、４と、これら弦材３、３および連結材４、４、４間に斜めに配置されたラチス材５、５とが一体化された構成となっている。
【０００４】
しかしながら、このように、両端部に連結材４、４を有したいわば外形略ロ字状のユニットトラス２を用いて構成したトラス架構１では、ユニットトラス２、２どうしのジョイント部において、一方のユニットトラス２の連結材４と、他方のユニットトラス２の連結材４とが隣接することになるため、これが強度的に、また部材としても無駄となっている。
【０００５】
この問題を解決するため、図１３に示すように、略コ字状のユニットトラス６が用いられている。
ユニットトラス６は、互いに平行に延在する二本一対の弦材７、７と、これら弦材７の両端部および中間部において弦材７と直交する方向に延在する連結材８、８と、これら弦材７、７および連結材８、８間に斜めに配置されたラチス材９、９とが一体化された構成となっている。このようなユニットトラス６によれば、ユニットトラス６、６どうしを、一方のユニットトラス６の一端側と、他方のユニットトラス６の他端側とで接続することによって、前記問題が解決される。
【０００６】
【発明が解決しようとする課題】
しかしながら、上述したような従来のユニットトラスおよびそのジョイント構造には、以下のような問題が存在する。
まず、ユニットトラス６、６、…を接続するときに、図１４に示すようにユニットトラス６の方向を誤ってしまうと、互いに隣接するユニットトラス６、６どうしのジョイント部で連結材８のないところ（図１４（ａ）および（ｂ）参照）と、二本の連結材８、８があるところ（図１４（ｃ）参照）ができてしまい、ここがトラス架構１の強度上の弱点となり構造上問題がある。
【０００７】
ところで、このようなユニットトラス６を所定角度、例えば互いに直交するよう接続するときには、一方のユニットトラス６の弦材７に、これと直交する方向に延出するジョイントブラケットを溶接し、このジョイントブラケットに他方のユニットトラス６を接続する方法がある。しかしながら、このジョイント構造では、ジョイントブラケットがユニットトラス６に固定されることになるため、このユニットトラス６を例えば仮設材のように多様な使い方をする場合には、他のユニットトラス６を様々な位置に接続できるように、多数のジョイントブラケットを設けておかなければならない。したがって、無駄が多く、また突出するジョイントブラケットが邪魔になって使用勝手が低下するという問題もある。
【０００８】
また、ユニットトラス６を所定角度で接続する他のジョイント構造として、専用のジョイント金具を用いるものもある。例えばユニットトラス６を略十字状に接続するときには、図１５および１６に示すように、十字状のジョイントピース１０と、ジョイントプレート１１とを用いる。一方、接合すべき各ユニットトラス６の端部には両側面が平面で形成されたジョイント部材１２を一体に形成しておく。そして、ジョイントピース１０、ジョイントプレート１１、ジョイント部材１２それぞれの所定位置に穴１０ａ、１１ａ、１２ａを形成しておく。そして、ジョイントピース１０の四方に各ユニットトラス６のジョイント部材１２を突き合わせた状態で、その両側からジョイントプレート１１、１１で挟み込み、穴１１ａ、１１ａに図示しないジョイントピンあるいはボルト等を挿入することによって、ユニットトラス６、６、…を略十字状に接続するようにしている。
【０００９】
ところが、このようなジョイントピース１０を用いたジョイント構造では、ジョイントピース１０、ジョイントプレート１１等、ジョイント部における部品点数が増え、接続作業にかかるコストや手間がかかるという問題がある。加えて、これらの部品によって、ジョイント部の長さも長くなってしまう。
【００１０】
また、このようなユニットトラス６で、例えばボックス構造のトラス（立体トラス）を構成するときには、予めユニットトラス６、６、…を所定形状に溶接してボックス構造としておく方法と、ユニットトラス６、６、…を接続して平面トラスを形成しておき、現場で二つの平面トラスを対向させてこれらを一体化することによってボックス構造とする方法とがある。
しかし、予めボックス構造としておく方法では、容積が大きくなるため、運搬、集積、保管にスペースが必要となり、これらにかかるコストが割高となるという問題がある。
一方、二つの平面トラスを組み合わせる方法では、容積が少なくてすむため、上記問題は回避することができるものの、現場において組立の手間とコストがかかるという問題がある。
【００１１】
本発明は、以上のような点を考慮してなされたもので、ユニットトラスを正確にかつ確実に接続することができ、また、様々な形状のトラス架構を低コストでかつ効率的に構成することのできるユニットトラスおよびそのジョイント構造を提供することを課題とする。
【００１２】
【課題を解決するための手段】
請求項１に係る発明は、互いに平行に延在する二本一対の弦材と、これら弦材間においてこれらと直交する方向に延在する連結材と、前記弦材間に斜めに延在するよう設けられたラチス材とから構成されるユニットトラスであって、前記二本一対の弦材の一端側に定められた間隔で複数のジョイント穴が形成されるとともに、他端側には前記一端側とは異なる間隔で複数のジョイント穴が形成されていることを特徴としている。
【００１３】
請求項２に係る発明は、請求項１記載のユニットトラスにおいて、前記各弦材には、対向する他方の弦材に向けて延出する接続ピンが形成されていることを特徴としている。
【００１４】
請求項３に係る発明は、互いに平行に延在する二本一対の弦材と、これら弦材間においてこれらと直交する方向に延在する連結材と、前記弦材間に斜めに延在するよう設けられたラチス材とから構成されるユニットトラスのジョイント構造であって、接続すべき前記各ユニットトラスには、前記二本一対の弦材それぞれの一端側に定められた間隔で複数のジョイント穴が形成されるとともに、他端側に前記一端側とは異なる間隔で複数のジョイント穴が形成された構成とされ、複数の前記ユニットトラスどうしを接続するためのジョイント部材が、断面視略Ｕ字状で、かつ一方のユニットトラスの弦材の一端側と、他方のユニットトラスの弦材の他端側とを突き合わせたときに前記一端側の前記ジョイント穴と前記他端側のジョイント穴とに対応する位置にピン穴が形成された構成とされ、互いに接続すべき双方の前記ユニットトラスの前記弦材どうしが突き合わされて、前記ジョイント部材が、一方の前記弦材の前記ジョイント穴と、他方の前記弦材の前記ジョイント穴とに前記ピン穴を対応させて配置され、前記各ピン穴にジョイントピンが挿入されることによって、前記ユニットトラスどうしが接続されていることを特徴としている。
【００１５】
請求項４に係る発明は、請求項３記載のユニットトラスのジョイント構造において、前記ユニットトラスどうしを定められた角度で突き合わせて接続するためのクロスジョイントが、前記定められた角度をなした方向にそれぞれ延在する断面視略Ｕ字状の連結部を有してなり、該連結部には、接続すべき前記各ユニットトラスの一端側または他端側に形成された前記ジョイント穴に対応する位置にピン穴が形成された構成とされ、接続すべき前記ユニットトラスの前記弦材どうしが前記定められた角度で突き合わされて、前記クロスジョイントが、前記各弦材の前記ジョイント穴に前記ピン穴を対応させて配置され、前記各ピン穴にジョイントピンが挿入されることによって、前記ユニットトラスどうしが前記定められた角度で接続されていることを特徴としている。
【００１６】
請求項５に係る発明は、請求項３または４記載のユニットトラスのジョイント構造において、前記ユニットトラスの前記各弦材には、対向する他方の弦材に向けて延出する接続ピンが形成されてなり、それぞれ複数のユニットトラスが接続されることによって構成された二組の平面トラスが互いに平行に配置され、一方の側の前記平面トラスを構成するユニットトラスの前記接続ピンと、他方の側の前記平面トラスを構成する前記ユニットトラスの前記接続ピンとの間に、その両端部にピン穴が形成されている接続材が、前記各ユニットトラスの位置する面と直交する方向に延在するよう取り付けられていることを特徴としている。
【００１７】
【発明の実施の形態】
以下、本発明に係るユニットトラスおよびそのジョイント構造の実施の形態の一例を、図１ないし図１１を参照して説明する。
【００１８】
図１に示すように、ユニットトラス２０は、例えば金属製のパイプ材から構成されており、互いに平行に延在する所定長の弦材２１、２２と、これら弦材２１、２２の一端側および中間部においてこれらと直交する方向に延在してこれらを一体に連結する連結材２３、２４と、これら弦材２１、２２および連結材２３、２４との間に斜めに延在するよう設けられたラチス材２５、２６とが一体化された構成となっている。
【００１９】
弦材２１、２２には、これら弦材２１、２２の内側、言い換えれば弦材２１、２２から相対向する他方の弦材２２、２１側に向けて突出する接続ピン２７、２７、…が形成されている。
【００２０】
また、弦材２１、２２の一端側には、それぞれその延在する方向に沿って所定寸法、例え８０ｍｍ隔てた位置に、このユニットトラス２０が位置する面と直交する方向に貫通する二個一対のジョイント穴２８が形成されている。一方、弦材２１、２２の他端側には、前記ジョイント穴２８の間隔とは異なる所定寸法、例えば６０ｍｍ隔てた位置に、二個一対のジョイント穴２９が形成されている。
さらに、連結材２３、２４には、その両端部、すなわち弦材２１、２２の近傍の所定位置に、それぞれジョイント穴３０が形成されている。
【００２１】
図２に示すように、このようなユニットトラス２０どうしを接続するためのジョイント部材３５は、湾曲部３５ａとその両側から互いに平行に延出する平板部３５ｂ、３５ｂとからなる断面視Ｕ字状に形成されている。湾曲部３５ａはユニットトラス２０の弦材２１、２２の外周面に沿うよう形成されている。また、平板部３５ｂ、３５ｂには、一方のユニットトラス２０の弦材２１、２２の一端側と、他方のユニットトラス２０の弦材２１、２２の他端側とを突き合わせた状態で、一方のユニットトラス２０の一端側のジョイント穴２８と、他方のユニットトラスの他端側のジョイント穴２９とに対応する位置に、計四つのピン穴３６が形成されている。
【００２２】
そして、このジョイント部材３５を用いて二つのユニットトラス２０どうしを接続するときには、ジョイント部材３５に形成されている四つのピン穴３６に、一方のユニットトラス２０の弦材２１、２２の一端側のジョイント穴２８と、他方のユニットトラス２０の弦材２１、２２の他端側のジョイント穴２９とを合わせた状態で、ピン穴３６のそれぞれに、図３に示すジョイントピン３８を挿入する構成となっている。
【００２３】
図３に示すように、ジョイントピン３８は、ジョイント穴２８、２９およびピン穴３６の内径と略同じ外径を有したピン部３９と、このジョイントピン３８を係止させるための係止部４０とから形成されている。ピン部３９は、先端部３９ａがその径寸法が漸次縮小するテーパ状とされており、その長さはジョイント部材３５の平板部３５ｂ、３５ｂ（図２参照）の離間間隔よりも所定寸法長く設定されている。係止部４０は、プラスチックまたは鋼板材など、弾性を有した板材からなり、ピン部３９の基端部から略円弧状に延出して、先端部４０ａが外方に開いた形状に形成されている。
【００２４】
図４に示すように、このようなジョイントピン３８は、ジョイント部材３５の各ピン穴３６と、ユニットトラス２０のジョイント穴２８または２９を合わせた状態で、ジョイントピン３８のピン部３９を挿入することによって、ジョイント部材３５とユニットトラス２０の弦材２１または２２とを接続するようになっている。このとき、係止部４０は、ジョイント部材３５の湾曲部３５ａに沿う略円弧状をなし、その先端部４０ａが外方に開いた形状とされているので、ピン部３９の挿入時には、係止部４０の先端部４０ａがジョイント部材３５の外周面に倣って弾性変形して開いた後、ジョイント部材３５にはまり込み、これによってジョイントピン３８が抜けるのを防止するようになっている。
【００２５】
図５（ａ）または（ｂ）に示すように、ユニットトラス２０、２０の弦材２１、２２それぞれのジョイント部にジョイント部材３５を被せ、図４に示したようにしてその各ピン穴３６にジョイントピン３８を挿入することによって、ユニットトラス２０、２０どうしが一体に連結されるようになっている。
そして、上記ジョイント部材３５を用いたユニットトラス２０のジョイント構造を適用して、多数のユニットトラス２０、２０、…を一方向に連続させて接続することによって、平面トラス架構Ａを構成することができる。
【００２６】
ところで、平面トラス架構Ａを構成するに際し、その全長が、ユニットトラス２０の弦材２１、２２の長さの整数倍でないときには、以下に示すような寸法調整部材を用いて寸法調整する。
【００２７】
図６に示すように、寸法調整部材４２は、寸法調整用ジョイント部材４３と、寸法調整用パイプ材４４とから構成されている。図７に示すように、寸法調整用ジョイント部材４３は、断面視略Ｕ字状で、図２に示したジョイント部材３５と同様、ユニットトラス２０の弦材２１、２２の一端側のジョイント穴２８と、他端側のジョイント穴２９とに対応した位置に、計四つのピン穴４５が形成され、さらに、その先端側に、寸法調整用パイプ材４４を固定するため計三つのピン穴４６が形成されている。また、図６に示したように、各寸法調整用パイプ材４４は、ユニットトラス２０の弦材２１、２２、連結材２３、２４、あるいはラチス材２５、２６と略同じ断面寸法を有しており、その両端部には、寸法調整用ジョイント部材４３のピン穴４６に固定するためのジョイント穴４７が形成されている。
【００２８】
そして、このような寸法調整部材４２では、寸法調整用ジョイント部材４３、４３を、一方のユニットトラス２０の弦材２１、２２の一端部と、他方のユニットトラス２０の弦材２１、２２の他端部とにそれぞれ取り付け、これら寸法調整用ジョイント部材４３、４３間に、適宜長に切断した寸法調整用パイプ材４４、４４、…を取り付けることによって、平面トラス架構Ａの全長を調整するようになっている。このとき、寸法調整用ジョイント部材４３のピン穴４５にユニットトラス２０の弦材２１、２２または寸法調整用パイプ材４４を接続するには、図３に示した前記ジョイントピン３８を用いる。また、寸法調整用ジョイント部材４３のピン穴４６に寸法調整用パイプ材４４を接続するときには、例えばピンやボルト・ナット等他のジョイント部材を用いるようにする。
【００２９】
ところで、従来であれば、平面トラス架構の長さを調整する場合には、例えばユニットトラスの一部にさや管等を用いて二重構造の伸縮部を設けたり、わざわざ調整すべき寸法に合わせて新たにユニットトラスを製作する等しなければならなかった。前者のようにユニットトラスに伸縮部を設ける場合には、構造が複雑となるために製作コストが上昇してしまい、また、後者のように寸法調整用のユニットトラスを製作する場合には、調整すべき寸法が異なる度に一品製作しなければならないため、製作コストが上昇するだけでなく、他への転用ができないためにこれを一回限りで滅却しなければならないという問題があった。これによってトラス架構の長さの調整にはコストがかかるものとなっていた。
これに対して、上述したように、寸法調整部材４２を用いることによって、寸法調整用パイプ材４４の長さを変更するのみで、平面トラス架構Ａの全長を容易に調整することができる。また、寸法調整用ジョイント部材４３はそのまま転用が可能であり、元々安価なパイプ材からなる寸法調整用パイプ材４４のみを一回限りで滅却すればよいので、コストの無駄も抑えることができる。
このとき、斜めに延在する寸法調整用パイプ材４４を、一点のみで固定するようにしたので、調整すべき寸法が異なっても、寸法調整用パイプ材４４の傾斜角の変化に対応することができる。
【００３０】
次に、ユニットトラス２０、２０、…を所定角度、例えば直角に突き合わせて接続するときのジョイント構造について説明する。
図８に示すように、ユニットトラス２０、２０、…を直角に突き合わせて接続するには、略十字状のクロスジョイント５０が用いられている。
【００３１】
図８および図９に示すように、クロスジョイント５０は、二つのユニットトラス２０、２０を同一面内に位置するよう突き合わせた状態で接続する基部（連結部）５０ａと、基部５０ａから両側方に延出する両側部（連結部）５０ｂとから形成されている。
基部５０ａは、前記ジョイント部材３５（図２参照）と略同じ構成となっており、断面視Ｕ字状で、両側面に、二つのユニットトラス２０、２０を突き合わせた状態で、これらユニットトラス２０、２０の弦材２１、２２に形成されているジョイント穴２８、２９に対応した位置に、計四つのピン穴５１が形成されている。
また、両側部５０ｂは、基部５０ａによって接続される二つのユニットトラス２０と直交するようその両側にそれぞれユニットトラス２０を突き合わせたときに、弦材２１、２２のジョイント穴２８、２９に対応する位置にピン穴５２が形成されている。なお四つのピン穴５２のうち、両側部５０ｂの両端部に形成されているピン穴５２ａ、５２ａは、弦材２１、２２の一端部のジョイント穴２８と他端部のジョイント穴２９の両方に対応できるように、長穴とされている。
【００３２】
図１０に示すように、このようなクロスジョイント５０では、四つのユニットトラス２０、２０、…を互いに直交するよう突き合わせた状態で、そのジョイント部にクロスジョイント５０を被せ、ピン穴５１、５２のそれぞれに、図３に示した前記ジョイントピン３８を挿入することによって、これらユニットトラス２０、２０、…を直交状態で接続するようになっている。
【００３３】
次に、上記ユニットトラス２０およびそのジョイント構造を適用して、立体トラス架構を構成する場合について説明する。
図１１に示すように、立体トラス架構Ｂは、二組の前記平面トラス架構Ａが互いに平行な面内に位置するよう配置され、これらがブレース材（接続材）５５、５５、…によって一体に接続された構成からなっている。
【００３４】
各平面トラス架構Ａは、複数のユニットトラス２０をジョイント部材３５とジョイントピン３８、３８、…とで一方向に連続するよう接続した構成からなっている。
各ブレース材５５は、二本のパイプ５６、５６がその中央部でピン接合されて回動自在に連結された構成とされている。各パイプ５６には、その両端部に、これをユニットトラス２０の弦材２１、２２に形成されている接続ピン２７に接続するための接続穴５７、５７が形成されている。
【００３５】
そして、このブレース材５５の各パイプ５６の両端部の接続穴５７、５７に、所定間隔を隔てて互いに平行に配置された平面トラス架構Ａ、Ａを構成するユニットトラス２０の接続ピン２７が挿入されることによって、平面トラス架構Ａ、Ａが一体化され、立体トラス架構Ｂが構成されている。
なお、立体トラス架構Ｂを構成する平面トラス架構Ａ、Ａの離間間隔を変更する場合には、ブレース材５５のパイプ５６、５６の長さを変更すればよい。
【００３６】
また、このような立体トラス架構Ｂで水平構台を構成する場合には、平面トラス架構Ａ、Ａが鉛直面内に位置するようにこの立体トラス架構Ｂを配置し、平面トラス架構Ａ、Ａ上に、図示しない足場板等の板材を直接載せて架設する。
従来であれば、立体トラス架構を構成するためには、平面トラス架構どうしを接続するのに、単管のパイプ材をクランプ金具で接続していた。このような構成とすると、平面トラス架構の弦材にクランプ金具を取り付けるために、このクランプ金具が突出してしまい、弦材上に直接足場板を架設できなかった。このため、両側の平面トラス架構上に、根太材を架け渡し、その上に足場板を敷設していた。
これに対し、上記立体トラス架構Ｂによれば、平面トラス架構Ａを構成するユニットトラス２０の弦材２１、２２の内側に接続ピン２７が形成され、この接続ピン２７にプレース５５を取り付けるようになっているため、平面トラス架構Ａ、Ａの弦材２１、２２の上面には突出物がなく、足場板を直接載せることができる。したがって、根太材が不要となり、立体トラス架構Ｂの組立の容易化および軽量化を図るとともに資材コストを削減することができる。
【００３７】
上述したように、ユニットトラス２０の弦材２１、２２の一端側に所定間隔でジョイント穴２８が形成され、他端側にジョイント穴２８とは異なる間隔でジョイント穴２９が形成され、さらに弦材２１、２２にはその内側に向けて突出する接続ピン２７が形成された構成となっている。また、このようなユニットトラス２０どうしを連結するためのジョイント部材３５が、ユニットトラス２０どうしを突き合わせたときに一方のユニットトラス２０の一端側のジョイント穴２８と、他方のユニットトラス２０の他端側のジョイント穴２９とに対応する位置にピン穴３６が形成された構成となっている。そして、ユニットトラス２０、２０の弦材２１、２２どうしを突き合わせた状態で、そのジョイント部にそれぞれジョイント部材３５が被せられ、各ピン穴３６にジョイントピン３８が差し込まれることによって、ユニットトラス２０、２０どうしが接続される構成となっている。このようにして、ユニットトラス２０の一端側と他端側とで接続用のジョイント穴２８、２９の間隔を変えるとともに、ジョイント部材３５のピン穴３６をこれに対応して形成しておくことによって、平面トラス架構Ａを組み立てるに際して、ユニットトラス２０の方向を誤ることなく一定の方向性を保って接続することができる。したがって、ユニットトラス２０の方向を誤って接続することによる構造的な弱点ができたり、逆に余分な部材が生じるのを防ぐことができる。
【００３８】
しかも、ジョイント部材３５は、断面視略Ｕ字状とされているので、従来の単なるプレート上のジョイントプレート１１に比較して、平面トラス架構Ａと直交する方向における強度を高いものとすることができる。
また、ジョイント部材３５を用いてユニットトラス２０、２０を接続するに際して、ピン部３９と、弾性体からなる板状の係止部４０とからなるジョイントピン３８を用いる構成とされている。このようなジョイントピン３８は、ピン穴３６への挿入・抜出とも容易に行うことができ、ユニットトラス２０の組立・解体を容易に行うことができる。しかも、このジョイントピン３８に代えて従来のように例えばボルトを用いる場合には、このボルトを固定するためのナットまたは割ピンの取り付けに手間がかかる上に、誤ってこれらを落としてしまうこともあるのに対し、単に差し込むだけでよい前記ジョイントピン３８ではこのような問題が生じることはない。
【００３９】
また、ユニットトラス２０、２０、…を所定の角度、例えば直交させて接続するためのクロスジョイント５０が、略十字状に形成されて、各ユニットトラス２０の一端側または他端側のジョイント穴２８、２９に対応する位置にピン穴５１、５２が形成された構成となっている。そして、ユニットトラス２０、２０、…を突き合わせた状態で、ここにクロスジョイント５０をセットし、各ピン穴５１、５２にジョイントピン３８を差し込むことによって、ユニットトラス２０、２０、…が直交して接続されるようになっている。これにより、従来、図１５および図１６に示したように、ジョイントピース１０、ジョイントプレート１１、ジョイント部材１２を用いることなく、ユニットトラス２０どうしを直接突き合わせて接続することができる。したがって、ジョイント部材１２を形成する必要がないためにユニットトラス２０の構造が従来よりも単純化され、またジョイント部の部品点数を削減することができ、さらにはジョイントピース１０がない分、ジョイント部の寸法を小さくすることができる。したがって、ユニットトラス２０、２０、…を直交させて接続するに際して、従来よりも低コスト化を図ることができる。
【００４０】
ユニットトラス２０で立体トラス架構Ｂを構成するには、複数のユニットトラス２０で形成された二組の平面トラス架構Ａ、Ａが、それぞれの平面トラス架構Ａを構成するユニットトラス２０に設けられている接続ピン２７にブレース材５５が取り付けられることによって、一体に接続された構成となっている。このようにしてユニットトラス２０から立体トラス架構Ｂを構成することができる。これによって、資材の運搬・保管時には、ユニットトラス２０を積み重ねることができるのでかさばることもなく、運搬コストを抑えることができる。また、立体トラス架構Ｂを組み立てるには、平面トラス架構Ａ、Ａを組み立てた後、ブレース材５５を構成するパイプ５６、５６の両端部に形成されている接続穴５７、５７にユニットトラス２０の接続ピン２７を差し込むだけでよいので、その組立を容易かつ短時間で行うことができる。また、パイプ５６の長さを変更するのみで、立体トラス架構Ｂを構成する二組の平面トラス架構Ａ、Ａの間隔を用途に応じて容易に変更することができる。
加えて、接続ピン２７がユニットトラス２０の弦材２１、２２の内側に形成されているので、立体トラス架構Ｂから外側に突出する突起物のないものとすることができる。したがって、この立体トラス架構Ｂで例えば水平構台を構成する場合にも、弦材２１、２２の上面に足場板を直接敷設することができるので、従来のように根太材を用いる必要がなく、水平構台の軽量化、その組立の容易化、およびコスト低減を図ることができる。
【００４１】
なお、上記実施の形態において、ユニットトラス２０で構成する平面トラス架構Ａや立体トラス架構Ｂ等については、その用途を限定するものではなく、仮設材あるいは本設材としても用いることが可能である。
また、ユニットトラス２０の構成についても、弦材と連結材とラチス材とからなるのであれば、いかなる構成としてもよい。例えば、ユニットトラス２０の一端側と他端側とでジョイント穴２８、２９の間隔を変える構成としたが、これに加えて、一方の弦材２１と他方の弦材２２とで、さらにジョイント穴２８、２９の間隔を変える構成としてもよい。このような構成とすれば、ユニットトラス２０の方向を上下方向においても容易に統一することが可能となる。
さらには、クロスジョイント５０を用いて、四つのユニットトラス２０を互いに直交するよう接続する例を用いたが、もちろん、これは四つに限定するものではなく、例えば三つのユニットトラス２０を略Ｔ字状に接続する場合、あるいは二つのユニットトラス２０を略Ｌ字状に接続する場合等であっても、同様に適用することができる。さらには、そのユニットトラス２０どうしが交差する角度についても、９０度に限定するものではなく、他のいかなる角度であってもよいのは言うまでもない。
【００４２】
【発明の効果】
以上説明したように、請求項１に係るユニットトラスによれば、ユニットトラスを構成する二本一対の弦材の一端側に定められた間隔で複数のジョイント穴を形成し、他端側に前記一端側とは異なる間隔で複数のジョイント穴を形成する構成となっている。また、請求項２に係るユニットトラスによれば、各弦材に、対向する他方の弦材に向けて延出する接続ピンを形成する構成とした。
このようなユニットトラスを接続するため、請求項３に係るユニットトラスのジョイント構造によれば、これらユニットトラスどうしを接続するためのジョイント部材を、一方のユニットトラスの一端側と、他方のユニットトラスの他端側とをつきあわせたときに一端側のジョイント穴と他端側のジョイント穴とに対応する位置にピン穴を形成した構成とし、ユニットトラスどうしをこのジョイント部材の各ピン穴にジョイントピンを挿入することによって接続する構成となっている。このようにして、ユニットトラスの一端側と他端側とでジョイント穴の間隔を変えるとともに、ジョイント部材のピン穴をこれに対応して形成しておくことによって、ユニットトラスの方向を誤ることなく一定の方向性を保って接続することができる。これによって、トラス架構に構造的な弱点ができたり、逆に余分な部材が生じるのを防ぐことができる。
【００４３】
請求項４に係るユニットトラスのジョイント構造によれば、ユニットトラスどうしを定められた角度で突き合わせて接続するためのクロスジョイントを、前記定められた角度をなした方向にそれぞれ延在する断面視略Ｕ字状の連結部を有した構成とし、かつ該クロスジョイントに、接続すべきユニットトラスどうしを突き合わせたときに各ユニットトラスの一端側または他端側に形成した前記ジョイント穴に対応するようピン穴を形成する構成とし、ユニットトラスどうしのジョイント部に前記クロスジョイントをセットし、各ピン穴にジョイントピンを挿入することによって、ユニットトラスどうしを定められた角度で接続する構成とした。これにより、例えばユニットトラスを十字状に突き合わせて接続するときにも、従来のように、十字状のジョイントピースやジョイントプレートを用いることなく、また、ユニットトラスにジョイントプレートとを接続するためのジョイント部を形成することもなく、ユニットトラスどうしを直接突き合わせて接続することができる。したがって、従来よりもユニットトラスの構造を単純化することができ、またジョイント部の部品点数を削減することができ、さらにはジョイントピースの分だけジョイント部の寸法を小さくすることができる。
【００４４】
請求項５に係るユニットトラスのジョイント構造によれば、ユニットトラスの各弦材に、対向する他方の弦材に向けて延出する接続ピンを形成し、複数のユニットトラスを接続して形成した二組の平面トラスどうしを、一方の側の平面トラスを構成するユニットトラスの接続ピンと、他方の側の平面トラスを構成するユニットトラスの接続ピンとの間に取り付けた接続材によって一体に接続する構成となっている。このようにして、二組の平面トラスが接続材によって一体に接続されて立体トラスを構成することができる。これにより、資材の運搬・保管時には平面トラスの状態で積み重ねることができ、スペースを抑えて運搬・保管コストを抑えることができる。また、二組の平面トラスを立体トラスに組み立てるには、接続材の両端部をユニットトラスの接続ピンに差し込むだけでよいので、組立を容易かつ短時間で行うことができる。加えて、接続ピンをユニットトラスの弦材の内側に形成するようにしたので、ユニットトラスの外側から突起物をなくすことができる。したがって、例えばこの立体トラスで水平構台を構成する場合にも、弦材の上面に直接足場板を敷設することができ、水平構台の軽量化、コストの低減化を図ることができる。さらには、接続材の長さを調整することによって、二組の平面トラスの離間距離を用途に応じて容易に変更することができる。
【図面の簡単な説明】
【図１】本発明に係るユニットトラスの一例を示す立面図である。
【図２】本発明に係るユニットトラスのジョイント構造に用いるジョイント部材の一例を示す立面図および側面図である。
【図３】同ジョイント構造に用いるジョイントピンを示す斜視図である。
【図４】前記ジョイント部材とジョイントピンとをユニットトラスのジョイント部に取り付けた状態を示す断面図である。
【図５】前記ジョイント構造を適用して構成した平面トラス架構の例を示す立面図である。
【図６】前記平面トラス架構の長さを調整するための寸法調整用部材の構造を示す立面図である。
【図７】同寸法調整用部材を構成する寸法調整用ジョイント部材の一例を示す斜視図である。
【図８】本発明に係るユニットトラスのジョイント構造を適用して、ユニットトラスを直交させて接続する場合の一例を示す斜視図である。
【図９】図８に示したジョイント構造に用いるクロスジョイントを示す平面図、立面図、側面図である。
【図１０】前記クロスジョイントでユニットトラスを直交させて接続した状態を示す平断面図である。
【図１１】本発明に係るユニットトラスのジョイント構造を適用した立体トラス架構の一例を示す斜視図である。
【図１２】従来のユニットトラスおよびそのジョイント構造の一例を示す立面図である。
【図１３】従来のユニットトラスおよびそのジョイント構造の他の一例を示す立面図である。
【図１４】図１３に示したジョイント構造において、ユニットトラスの向きを誤った場合の例を示す立面図である。
【図１５】従来のユニットトラスのジョイント構造で、ユニットトラスを直交させて接続する場合のジョイント部を示す平面図である。
【図１６】前記ジョイント部の斜視図である。
【符号の説明】
２０  ユニットトラス
２１、２２  弦材
２３、２４  連結材
２５、２６  ラチス材
２７  接続ピン
２８、２９  ジョイント穴
３５  ジョイント部材
３６  ピン穴
３８  ジョイントピン
５０  クロスジョイント
５１、５２  ピン穴
５５  ブレース材（接続材）
５７  接続穴
【図１】
0003655381.tif 000002
【図２】
0003655381.tif 000003
【図３】
0003655381.tif 000004
【図４】
0003655381.tif 000005
【図５】
0003655381.tif 000006
【図６】
0003655381.tif 000007
【図７】
0003655381.tif 000008
【図８】
0003655381.tif 000009
【図９】
0003655381.tif 000010
【図１０】
0003655381.tif 000011
【図１１】
0003655381.tif 000012
【図１２】
0003655381.tif 000013
【図１３】
0003655381.tif 000014
【図１４】
0003655381.tif 000015
【図１５】
0003655381.tif 000016
【図１６】
0003655381.tif 000017